(57)【特許請求の範囲】
【請求項１】
表面部と、裏面部と、表面部と裏面部の隅同士を連結する４個の隅の桁部と、表面部と裏面部との周囲の中間部同士を連結する４個の中間の桁部と、表面部と裏面部との中央部同士を連結する１個の中央部の桁部とを備え、桁部間にフォーク挿入孔を井の字状に形成し且つ裏面部のフォーク挿入孔が交差する部位を開口した合成樹脂の一体成形の片面使用の四方差しパレットにおいて、表面部の肉厚よりも裏面部の肉厚を薄くし、上記裏面部のフォーク挿入孔に対応した部位の下面部に、フォーク挿入孔の両内側面部を構成する対向する桁部の対向側壁部の下端部に架設した複数列の桁部連結用下リブと、フォーク挿入方向と平行で且つ上記複数列の桁部連結用下リブと交差一体化した複数の挿入方向下リブを設け、フォーク挿入孔の入口両内側面部を構成する対向する桁部の対向側壁部の前部の間隔を外方程広くなるようにして上記入口の両内側面部を傾斜側壁部とすると共に、裏面部のフォーク挿入孔に対応した部位の入口側の端部を外方程下となるように下り傾斜した入口下傾斜面部とし、入口下傾斜面部の両端部を桁部の傾斜側壁部に至るまで面一に連出して傾斜側壁部と一体化した入口下隅傾斜面部を形成し、上記入口下傾斜面部の下面部に上記挿入方向下リブの先端部を設け、入口下傾斜面部の下面部の両端部にフォーク挿入孔のフォーク挿入方向に略平行な補強リブを形成し、この補強リブの後端部を入口下傾斜面部の後端部の下面部に設けた対向する両傾斜側壁部の後端部の下部間を連結する桁部連結用下リブに一体に連結し、入口下傾斜面部の隣接する挿入方向下リブ間及び補強リブと挿入方向下リブ間に水抜き孔を設けて成ることを特徴とするパレット。
【発明の詳細な説明】
【０００１】
【発明の属する技術分野】
本発明は、パレットに関するものである。
【０００２】
【従来の技術】
従来から表面部と裏面部との間に桁部を配設するとともに隣接する桁部間にフォーク挿入孔を形成したパレットが知られている。このパレットは裏面部のフォーク挿入孔に対応した部位を補強するために、フォーク挿入孔の両内側面部を構成する対向する桁部の対向側壁部の下端部に複数列の桁部連結用下リブを架設して裏面部のフォーク挿入孔に対応した部位の補強を行うとともに、隣接する桁部の連結を行って桁部の補強を行っていた。また、フォーク挿入孔へのフォークの挿入を容易にするため、フォーク挿入孔の入口両内側面部を構成する対向する桁部の対向側壁部の前部の間隔を外方程広くなるようにして上記入口の両内側面部を傾斜側壁部とすると共に、裏面部のフォーク挿入孔に対応した部位の入口側の端部を外方程下となるように下り傾斜した入口下傾斜面部としていた。そして、上記複数列の桁部連結用下リブのうち入口側の桁部連結用下リブは入口下傾斜面部の後端部の下面部に設けた対向する両傾斜側壁部の後端部付近の下部間を連結するように架設してあった。
【０００３】
上記のような構成のパレットにおいて、フォークをフォーク挿入孔に挿入する際、フォークの先端が入口下傾斜面部に当たる場合が多いが、入口下傾斜面部の側端部付近にフォークの先端部が当たった場合、桁部連結用下リブにねじれが生じ、入口下傾斜面部の側端部付近に亀裂が発生したり、破損が生じたり、あるいは桁部連結用下リブの傾斜側壁部の後端部付近に無理な力が作用して桁部連結用下リブや桁部の側壁部の下端部が破損したりしやすいという問題があった。
【０００４】
【発明が解決しようとする課題】
本発明は上記の点に鑑みてなされたものであり、フォーク挿入孔へのフォークの挿入のガイドを行い、しかも、フォークが衝突してもフォーク挿入孔の入口に位置する桁部連結用下リブがねじれないようにでき、亀裂の発生や破損を防止できるパレットを提供することを課題とするものである。
【０００５】
【課題を解決するための手段】
上記課題を解決するために本発明に係るパレットは、表面部１と、裏面部２と、表面部１と裏面部２の隅同士を連結する４個の隅の桁部３と、表面部１と裏面部２との周囲の中間部同士を連結する４個の中間の桁部３と、表面部１と裏面部２との中央部同士を連結する１個の中央部の桁部３とを備え、桁部３間にフォーク挿入孔４を井の字状に形成し且つ裏面部２のフォーク挿入孔４が交差する部位を開口した合成樹脂の一体成形の片面使用の四方差しパレット５において、表面部１の肉厚よりも裏面部２の肉厚を薄くし、上記裏面部２のフォーク挿入孔４に対応した部位の下面部に、フォーク挿入孔４の両内側面部を構成する対向する桁部３の対向側壁部の下端部に架設した複数列の桁部連結用下リブ７と、フォーク挿入方向と平行で且つ上記複数列の桁部連結用下リブ７と交差一体化した複数の挿入方向下リブ１５を設け、フォーク挿入孔４の入口８両内側面部を構成する対向する桁部３の対向側壁部６の前部の間隔を外方程広くなるようにして上記入口８の両内側面部を傾斜側壁部９とすると共に、裏面部２のフォーク挿入孔４に対応した部位の入口８側の端部を外方程下となるように下り傾斜した入口下傾斜面部１０とし、入口下傾斜面部１０の両端部を桁部３の傾斜側壁部９に至るまで面一に連出して傾斜側壁部９と一体化した入口下隅傾斜面部１１を形成し、上記入口下傾斜面部１０の下面部に上記挿入方向下リブ１５の先端部を設け、入口下傾斜面部１０の下面部の両端にフォーク挿入孔４のフォーク挿入方向に略平行な補強リブ１２を形成し、この補強リブ１２の後端部を入口下傾斜面部１０の後端部の下面部に設けた対向する両傾斜側壁部の後端部の下部間を連結する桁部連結用下リブ７に一体に連結し、入口下傾斜面部１０の隣接する挿入方向下リブ１５間及び補強リブ１２と挿入方向下リブ１５間に水抜き孔３０を設けて成ることを特徴とするものである。このようにフォーク挿入孔４の入口８両内側面部を構成する対向する桁部３の対向側壁部６の前部の間隔を外方程広くなるようにして上記入口８の両内側面部を傾斜側壁部９とすると共に、裏面部２のフォーク挿入孔４に対応した部位の入口８側の端部を外方程下となるように下り傾斜した入口下傾斜面部１０とし、入口下傾斜面部１０の両端部を桁部３の傾斜側壁部９に至るまで面一に連出して傾斜側壁部９と一体化した入口下隅傾斜面部１１を形成することで、フォーク挿入孔４にフォークを挿入する際、傾斜側壁部９、入口下傾斜面部１０、入口下隅傾斜面部１１の傾斜面により入口８部分でスムーズにガイドしてフォークをフォーク挿入孔４に挿入することができるのはもちろんのこと、入口下傾斜面部１０の側端部付近（つまり入口下隅傾斜面部１１付近）にフォークの先端が当たっても、入口下傾斜面部１０の下面部の両端に設けた補強リブ１２の後端部を入口下傾斜面部１０の下面部の後端部に設けた対向する両傾斜側壁部の後端部の下部間を連結する桁部連結用下リブ７に一体に連結してこの部分を補強リブ１２で補強してあるので、補強リブ１２により入口８側に位置する桁部連結用下リブ７がねじれるのを防止できて、入口下傾斜面部１０の側端部付近に亀裂が発生したり、破損が生じたり、あるいは桁部連結用下リブ７や桁部３の傾斜側壁部９の下端部の破損が防止されるものである。
【０００６】
【発明の実施の形態】
以下、本発明を添付図面に示す実施形態に基づいて説明する。
【０００７】
図１乃至図９には本発明のパレット５の一実施形態が示してある。パレット５は合成樹脂によって一体に射出成形してあり、平面視四角形状をした表面部１と平面視四角形状をした裏面部２との間に桁部３を配設すると共に隣接する桁部３間にフォーク挿入孔４を構成して形成してある。添付図面に示す実施形態においては、桁部３が筒状桁３ａにより構成してあり、表面部１と裏面部２とが、桁部表面部１と裏面部２の隅部同士を連結する４個の隅の筒状桁３ａと、表面部１と裏面部２との周囲の中間部同士を連結する４個の中間の筒状桁３ａと、表面部１と裏面部２の中央部同士を連結する１個の中央部の筒状桁３ａにより連結してある。このように、表面部１と裏面部２とを４個の隅の筒状桁３ａと、４個の中間の筒状桁３ａと、１個の中央部の筒状桁３ａとにより一体に連結することで、上記の筒状桁３ａ間にフォーク挿入孔が井の字状に形成された四方差しパレット５を構成してある。
【０００８】
図８、図９に示すように、表面部１のフォーク挿入孔４の上部に対応した部位には、フォーク挿入孔４の両内側面部を構成する対向する桁部３の対向側壁部６の上端部間に架設した桁部連結用上リブ１３を設けると共に、フォーク挿入孔４のフォーク挿入方向と平行で且つ上記桁部連結用上リブ１３と交差一体化した挿入方向上リブ１４が設けてある。
【０００９】
また、図８、図９に示すように、裏面部２のフォーク挿入孔４下部に対応した部位の下面部には、フォーク挿入孔４の両内側面部を構成する対向する桁部３の対向側壁部６の下端部間に架設した桁部連結用下リブ７と、フォーク挿入孔４のフォーク挿入方向と平行で且つ上記桁部連結用下リブ７と交差一体化した挿入方向下リブ１５が設けてある。
【００１０】
フォーク挿入孔４の入口８両内側面部を構成する対向する桁部３の対向側壁部６は傾斜した傾斜側壁部９となっていて該対向側壁部６の前部の間隔が外方程広くなっている。
【００１１】
また、裏面部２のフォーク挿入孔４に対応した部位の入口８部分は、外方程下となるように下り傾斜した入口下傾斜面部１０となっている。この入口下傾斜面部１０の下面部には上記挿入方向下リブ１５の先端部が設けてある。入口下傾斜面部１０の両端部は桁部３の傾斜側壁部９に至るまで面一に連出してあって傾斜側壁部９と一体化した入口下隅傾斜面部１１が形成してある。なお、入口下傾斜面部１０には隣接する挿入方向下リブ１５間には水抜きと軽量化のために水抜き孔３０が設けてある。
【００１２】
上記のように、フォーク挿入孔４の入口８両内側面部を構成する対向する桁部３の対向側壁部６の前部の間隔を外方程広くなるようにして上記入口８の両内側面部を傾斜側壁部９とすると共に、裏面部２のフォーク挿入孔４に対応した部位の入口８側の端部を外方程下となるように下り傾斜した入口下傾斜面部１０とし、入口下傾斜面部１０の両端部を桁部３の傾斜側壁部９に至るまで面一に連出して傾斜側壁部９と一体化した入口下隅傾斜面部１１を形成してあるので、フォーク挿入孔４にフォークを挿入する際、傾斜側壁部９、入口下傾斜面部１０、入口下隅傾斜面部１１の各傾斜面により入口８部分でスムーズにフォークをガイドしてフォーク挿入孔４に挿入することができるようになっている。
【００１３】
入口下傾斜面部１０の前端部と後端部との下面部にはそれぞれ両側の桁部３の下端部間を連結する桁部連結用下リブ７が配設してある。ここで、入口下傾斜面部１０の後端部の下面部に設けた桁部連結用下リブ７は桁部３の入口下傾斜面部１０の後端部付近において桁部３と一体に連結してあり、また、入口下傾斜面部１０の前端部の下面部に設けた桁部連結用下リブ７は桁部３の入口下傾斜面部１０の前端部において桁部３と一体に連結してある。
【００１４】
また、図８に示すように、入口下傾斜面部１０の下面部の両端（つまり、入口下傾斜面部１０の下面部の両端で且つ入口下隅傾斜面部１１を連出した部分）にはフォーク挿入孔４のフォーク挿入方向に略平行な補強リブ１２が形成してあり、この補強リブ１２の後端部が入口下傾斜面部１０の後端部の下面部に設けた対向する両傾斜側壁部９の後端部の下部間を連結する桁部連結用下リブ７に一体に連結してあり、補強リブ１２の前端部が入口下傾斜面部１０の前端部の下面部に設けた対向する両傾斜側壁部９の前端部の下部間を連結する桁部連結用下リブ７に一体に連結してある。
【００１５】
ここで、上記のように、入口下傾斜面部１０の両端部に入口下隅傾斜面部１１を設けることで、入口下隅傾斜面部１１により入口８へのフォークの挿入をガイドしてフォークの挿入が容易に行えるようになっているが、入口下傾斜面部１０の両端部に入口下隅傾斜面部１１を連出すると、図８に示す入口８の側端部に位置する挿入方向下リブ１５と桁部８の傾斜側壁部９の前端部との間の距離Ｍが入口下隅傾斜面部１１の分だけ長くなり、このため、入口下隅傾斜面部１１を含む傾斜側壁部９の側端部付近にフォークの先端が当たると、入口８側に位置する桁部連結用下リブ７にねじれ力が生じて、入口下傾斜面部１０の側端部付近に亀裂が発生したり、破損が生じたり、あるいは桁部連結用下リブ７や桁部３の対向側壁部９の下端部の破損するおそれがある。しかしながら、本発明においては上記のように、入口下傾斜面部１０の両端の下面部にはフォーク挿入孔４のフォーク挿入方向に略平行な補強リブ１２が形成してあることで、傾斜側壁部９の側端部付近にフォークの先端が当たっても、この部分がフォーク挿入方向に略平行な補強リブ１２により補強されて、補強リブ１２により入口８側に位置する桁部連結用下リブ７がねじれるのを防止できるものである。したがって、入口下傾斜面部１０の側端部付近に亀裂が発生したり、破損が生じたり、あるいは補強リブ１２が桁部連結用下リブ７に一体化することで、桁部３の傾斜側壁部９の下端部の補強ができ、桁部連結用下リブ７及び傾斜側壁部９の破損が防止できるものである。
【００１６】
【発明の効果】
上記のように本発明の請求項１記載の発明にあっては、表面部と、裏面部と、表面部と裏面部の隅同士を連結する４個の隅の桁部と、表面部と裏面部との周囲の中間部同士を連結する４個の中間の桁部と、表面部と裏面部との中央部同士を連結する１個の中央部の桁部とを備え、桁部間にフォーク挿入孔を井の字状に形成し且つ裏面部のフォーク挿入孔が交差する部位を開口した合成樹脂の一体成形の片面使用の四方差しパレットにおいて、表面部の肉厚よりも裏面部の肉厚を薄くし、上記裏面部のフォーク挿入孔に対応した部位の下面部に、フォーク挿入孔の両内側面部を構成する対向する桁部の対向側壁部の下端部に架設した複数列の桁部連結用下リブと、フォーク挿入方向と平行で且つ上記複数列の桁部連結用下リブと交差一体化した複数の挿入方向下リブを設け、フォーク挿入孔の入口両内側面部を構成する対向する桁部の対向側壁部の前部の間隔を外方程広くなるようにして上記入口の両内側面部を傾斜側壁部とすると共に、裏面部のフォーク挿入孔に対応した部位の入口側の端部を外方程下となるように下り傾斜した入口下傾斜面部とし、入口下傾斜面部の両端部を桁部の傾斜側壁部に至るまで面一に連出して傾斜側壁部と一体化した入口下隅傾斜面部を形成し、上記入口下傾斜面部の下面部に上記挿入方向下リブの先端部を設けてあるので、フォーク挿入孔にフォークを挿入する際、傾斜側壁部、下面部に挿入方向下リブの先端部が設けられた入口下傾斜面部、入口下隅傾斜面部の各傾斜面により入口部分でスムーズにガイドしてフォークをフォーク挿入孔に挿入することができるものであり、特に、入口下隅傾斜面部を設けることでフォークの挿入がスムーズとなるものであり、しかも、このように、入口下傾斜面部の両端部に入口下隅傾斜面部を設けるといえども、本発明においては、入口下傾斜面部の下面部の両端にフォーク挿入孔のフォーク挿入方向に略平行な補強リブを形成し、この補強リブの後端部を入口下傾斜面部の後端部の下面部に設けた対向する両傾斜側壁部の後端部の下部間を連結する桁部連結用下リブに一体に連結してあるので、入口下傾斜面部の側端部付近にフォークの先端が当たっても、この部分の下面部にフォーク挿入方向に略平行な補強リブが設けてあることで、該下面部に設けた補強リブにより補強されて、補強リブにより入口側に位置する桁部連結用下リブがねじれるのを防止でき、この結果、入口下傾斜面部の側端部付近に亀裂が発生したり、破損が生じたり、桁部連結用下リブ及び傾斜側壁部の破損が防止できるものである。また、入口下傾斜面部の隣接する挿入方向下リブ間及び補強リブと挿入方向下リブ間に水抜き孔を設けてあるので、軽量化を図ることができる。
【図面の簡単な説明】
【図１】  本発明のパレットの斜視図である。
【図２】  同上の底面図である。
【図３】  同上の平面図である。
【図４】  同上の正面図である。
【図５】  同上の側面図である。
【図６】  同上の水平断面図である。
【図７】  同上のフォーク挿入孔の入口部分の拡大正面図である。
【図８】  同上のフォーク挿入孔の入口部分の拡大底面図である。
【図９】  同上のフォーク挿入孔の入口部分の拡大断面図である。
【符号の説明】
１  表面部
２  裏面部
３  桁部
４  フォーク挿入孔
５  パレット
６  対向側壁部
７  桁部連結用下リブ
８  入口
９  傾斜側壁部
１０  入口下傾斜面部
１１  入口下隅傾斜面部
１２  補強リブ
【図１】
0004015804.tif 000002
【図２】
0004015804.tif 000003
【図３】
0004015804.tif 000004
【図４】
0004015804.tif 000005
【図５】
0004015804.tif 000006
【図６】
0004015804.tif 000007
【図７】
0004015804.tif 000008
【図８】
0004015804.tif 000009
【図９】
0004015804.tif 000010